(57)【要約】【課題】薄型画像表示装置において、キャビネットカバーの取り付けられるモールの取付け及び取外しが容易となる技術を提供する。【解決手段】取付レール３２は、両端にそれぞれ第１の係止部３４ａ，３４ｂを備える。第１の係止部３４ａ，３４ｂは、対向するように内側を向いた矢じり状の形状を備える。取付レールに３２には、モールが第１の係止部３４と第２の係止部３６に係止されて嵌合されている。モール２０が嵌合されたキャビネットカバー１４がキャビネット１２に取り付けられる際に、挿入ガイド２４が、ガイド収納溝４０に挿入される。【選択図】図２
2008072421.tif 000002
【特許請求の範囲】
【請求項１】
装飾その他の目的で、薄型画像表示装置のカバーに取り付ける為のモール固定構造であって、
レールが設けられた前記カバーが取り付けられるキャビネットの縁と、前記カバーとの間に間隙を有し、
該間隙は、断面略Ｃの字状をなして前記レールに取り付けられる前記モールの一の縁に外側に向かって設けられた舌片が挿入可能であることを特徴とするモール固定構造。
【請求項２】
前記レールは、両端に互いに対向するように内側に向けられた矢じり状の第１の係止部と、前記レールの途上に外側を向いて複数設けられた矢じり状の第２の係止部とを備え、
前記モールの両端部は、前記第１の係止部に内側から挿入されて係止され、
前記Ｃの字状の開口は、挿入ガイドが前記カバーの裏側に位置するように前記レールに嵌合され、
前記第２の係止部に、前記Ｃの字状の開口が係止される
ことを特徴とする請求項１に記載のモール固定構造。
【請求項３】
請求項１または２に記載のモール固定構造を備えることを特徴とする薄型画像表示装置。
【請求項４】
装飾その他の目的で、薄型表示装置に取り付けられるモールであって、
断面略Ｃの字状をなし、一の縁に外側に向かって舌片が設けられたことを特徴とするモール。
【請求項５】
前記舌片は、Ｃの字の斜め上方に相当する方向に向かって延在していることを特徴とする請求項４に記載のモール。
【請求項６】
前記舌片は、モール全長に亘って設けられていることを特徴とする請求項４または５に記載のモール。
【請求項７】
前記舌片は、断続的に設けられていることを特徴とする請求項４または５に記載のモール。
【発明の詳細な説明】
【技術分野】
【０００１】
本発明は、モール固定構造に係り、特に薄型画像表示装置において、キャビネットとそのカバーと、該カバー端部に取り付けられるモールとを含んでなるモール固定構造に関する。
【背景技術】
【０００２】
様々な製品において、デザインや質感の観点から、また部品端部の安全性確保のためにトリムやモールと呼ばれる装飾品が取り付けられている。以下、モールにはトリムが含まれるものとする。
【０００３】
例えば、家具の端面に装飾と保護部材を兼ねたモールを固定する技術が開示されている（特許文献１参照）。特許文献１に開示の技術では、前記モールの裏面に突起列を備えた挿入片が設けられ、家具本体に凹列を備えた挿入孔が設けられていた。この突起列と凹列が係止することで、モールが家具本体に強固に固定されていた。
【０００４】
また、住宅のドアパネルに装飾用の成形モールを固定する方法が開示されている（特許文献２参照）。特許文献２に開示の技術では、成形モールの背面に口狭の溝条を開設し、ドアには前記の溝条と係合するスプリングファスナーを取付け、溝条とスプリングファスナーとを係合させることで、ドアパネルにモールを取り付けていた。
【０００５】
さらにまた、車輌のホイールアーチ部にモールを取り付ける方法が開示されている（特許文献３参照）。特許文献３に開示の技術では、モールの取付面側に係合爪及びガイド用ボスを突設していた。さらに、ホイールアーチ部にブラケットを取付け、そのブラケットに前記の係合爪を引っ掛ける係止部を設け、また、ガイド用ボスを挿入するボス孔を設けていた。これによってモールとホイールアーチ部の固定不良を回避していた。
【０００６】
【特許文献１】実開昭６３−２２１３０号公報
【特許文献１】実開平２−１４４９９３号公報
【特許文献１】特開２０００−１９８４６５号公報
【発明の開示】
【発明が解決しようとする課題】
【０００７】
ところで、モールが薄型画像表示装置に設けられることを想定すると、取付スペースの関係で、モールを取り付ける構造には制約がある。また、部品自体の製造効率及び薄型画像表示装置の製造効率の観点から、構造はできるだけシンプルが望ましい。
【０００８】
特許文献１に開示の技術では、モールと家具本体とは強固な嵌合により固定されたが、嵌合の構造が複雑になるといった課題があった。
【０００９】
また、特許文献２に開示の技術でも、モールとスプリングファスナーとは嵌合構造は複雑であるという課題があった。
【００１０】
さらにまた、特許文献３に開示の技術では、モールをビス固定によりホイールアーチ部に固定していた。一般に、モールをビス固定することは製品の組立時や分解時に作業性が改善の余地があるといった課題があった。
【００１１】
薄型画像表示装置においても、特許文献３のように、モールをビス固定することが行われており、上記の組立時及び解体時の作業性の観点から、新たな取付構造が導入されることが期待されていた。
【００１２】
本発明は、こうした背景に鑑みなされたものであって、その目的は、薄型画像表示装置において、キャビネットカバーに取り付けられるモールの取付け及び取外しが容易となる技術を提供することにある。
【課題を解決するための手段】
【００１３】
本発明のある態様は、モール固定構造に関する。このモール固定構造は、装飾その他の目的で、薄型画像表示装置のカバーに取り付ける為のモール固定構造であって、レールが設けられた前記カバーが取り付けられるキャビネットの縁と、前記カバーとの間に間隙を有し、該間隙は、断面略Ｃの字状をなして前記レールに取り付けられる前記モールの一の縁に外側に向かって設けられた舌片が挿入可能である。
前記レールは、両端に互いに対向するように内側に向けられた矢じり状の第１の係止部と、前記レールの途上に外側を向いて複数設けられた矢じり状の第２の係止部とを備えてもよく、前記モールの両端部は、前記第１の係止部に内側から挿入されて係止されてもよく、前記Ｃの字状の開口は、挿入ガイドが前記カバーの裏側に位置するように前記レールに嵌合されてもよく、前記第２の係止部に、前記Ｃの字状の開口が係止されてもよい。
本発明の別のある態様は、薄型画像表示装置に関し、上記態様のモール固定構造を有する。
本発明の更に別のある態様は、モールに関する。このモールは、装飾その他の目的で、薄型表示装置に取り付けられるモールであって、断面略Ｃの字状をなし、一の縁に外側に向かって舌片が設けられる。
前記舌片は、Ｃの字の斜め上方に相当する方向に向かって延在してもよい。
前記舌片は、モール全長に亘って設けられてもよい。
前記舌片は、断続的に設けられてもよい。
【発明の効果】
【００１４】
本発明によれば、薄型画像表示装置においてモールを取り付ける、または取り外すことが容易となる技術を提供することができる。
【発明を実施するための最良の形態】
【００１５】
以下、本発明の実施の形態の薄型画像表示装置におけるモール固定構造に関し、図面を参照して説明する。
【００１６】
図１に示すように、液晶テレビ等の薄型画像表示装置１０においては、表示パネル１８がキャビネット１２内部に納められ、更にキャビネット１２の前面にはキャビネットカバー１４が取り付けられている。
【００１７】
キャビネットカバー１４には、図１では下側部分にモール２０が取り付けられている。ここで、キャビネットカバー１４のうち、モール２０が取り付けられる長尺状の部材部分がカバー装飾取付部３０であり、図２に示す。また、図３（ａ）に示すように、カバー装飾取付部３０の下側先端には、長手方向（紙面に向かって左下から右上に向けた方向）に亘って延びる取付レール３２が設けられている。
【００１８】
図３に示すように、カバー装飾取付部３０の取付レール３２は外側方向（図１では下側方向）に突状の形状を向け、中央付近で下側に湾曲している。この取付レール３２は、左右の両端にそれぞれ第１の係止部３４ａ（左側），３４ｂ（右側）を備える。以下、二つの第１の係止部３４ａ，３４ｂを区別しないときは単に「第１の係止部３４」と称する。これら第１の係止部３４は、同一形状であり、対向するように内側を向いた矢じり状の形状を有する。
【００１９】
また、取付レール３２の途上には、９個の第２の係止部３６が設けられている。これら第２の係止部３６は、矢じり状の形状を外側方向（図１では下側方向）に向けて備えている。第２の係止部３６は、ここでは略等間隔で９個配置しているが、これに限る趣旨ではない。取り付けるモール２０が適正に固定される配置及び数量であればよい。したがって、一般には、カバー装飾取付部３０（取付レール３２）が長くなるに従い、第２の係止部３６の数量が多くなる。また、同様に取付レール３２の湾曲がきつくなるに従い、一般には第２の係止部３６の数量が多くなる。キャビネットカバー１４は、一般的には、樹脂により成形されるため、上述のような、矢じり状の第１及び第２の係止部３４，３６を有する構造であれば、一体成形にて形成できる。
【００２０】
図４は、図１のＡ−Ａ断面を示しており、図３に理解を容易にするためにＡ−Ａ断面の位置に相当する場所を示している。Ａ−Ａ断面の位置は、取付レール３２に第２の係止部３６が設けられている場所の断面である。一方、図５は図１のＢ−Ｂ断面を示しており、Ａ−Ａ断面と同様に図３にＢ−Ｂ断面に相当する場所を示している。なお、図中左側が薄型画像表示装置１０の内部方向であり、右側が薄型画像表示装置１０の外部方向にあたる。
【００２１】
図４及び図５に示すように、カバー装飾取付部３０は下方向に延び、カバー先端部４４が図中左側に向けて曲がっている。さらに、カバー先端部４４から下に向けて突状に取付レール３２が形成されている。図４に示すように、第２の係止部３６が矢じり状に設けられている。一方、図５に示すＢ−Ｂ断面では、取付レール３２には矢じり状の形状はない。
【００２２】
図３に戻り、モール２０は、棒状の樹脂成型品であり可撓性を有する。また、図４及び図５に示すように、モール２０の断面は、Ｃの字状（「Ｃリング形状」ともいう）となっている。図４及び図５では、モール２０は上側に開口を有し、左側の開口端２６には、外に向かって延びる舌状の挿入ガイド２４が設けられている。なお、本実施の形態では、挿入ガイド２４は、モール２０全長に亘って形成されているが、これに限る趣旨ではなく、断続的に設けられてもよい。
【００２３】
モール２０の左右の端部２２ａ,２２ｂは、それぞれカバー装飾取付部３０の両端に備わる第１の係止部３４ａ,３４ｂに挿入される。また、モール２０の開口が取付レール３２に嵌合された際に、第２の係止部３６の矢じり状の形状により、モール２０の開口端２６が第２の係止部３６に係止される。
【００２４】
図２（ａ）及び図２（ｂ）は、カバー装飾取付部３０にモール２０が嵌合された状態を示しており、図２（ａ）は、上方から見た斜視図であり、図２（ｂ）が下方から見た斜視図である。図２（ｂ）から分かるように、モール２０の下側に挿入ガイド２４が設けられる。つまり、モール２０のＣの字状の開口は、挿入ガイド２４がカバー装飾取付部３０の裏側に位置するように取付レール３２に嵌合される。
【００２５】
また、図４及び図５に示すように、キャビネット１２は、キャビネットカバー１４が取り付けられた際に、カバー先端部４４及び取付レール３２と対向する位置に、所望の深さの間隙が形成されており、この間隙をガイド収納溝４０と呼ぶ。キャビネット１２とキャビネットカバー１４が一体に取り付けられた際に、ガイド収納溝４０と、カバー先端部４４及び取付レール３２は、挿入ガイド２４を収納する空間を形成する。このとき、ガイド収納溝４０の下側の枠先端部４２は、モール２０の左外側部分に当接する長さに形成される。
【００２６】
以上の構成による、モール２０をカバー装飾取付部３０に取付け、つづいて、それらを更にキャビネット１２に取り付ける手順について説明する。
【００２７】
まず、モール２０をＵ字形状に撓ませ、カバー装飾取付部３０の取付レール３２の両端に備わる第１の係止部３４に取付モール２０の両端２２を内側から取付レール３２に沿って挿入する。これにより、まず、モール２０の両端２２が第１の係止部３４に固定される。
【００２８】
次に、モール２０の中央部分をカバー装飾取付部３０の取付レール３２の中央部分である湾曲頂部に嵌合させる。このとき、図４について上述したように、モール２０の開口端２６は第２の係止部３６に係止する。つづいて、取付レール３２の端部に向かって順次、第２の係止部３６にモール２０の開口端２６を係止させながら、モール２０を取付レール３２に嵌合させていく。これによって、まず、モール２０がカバー装飾取付部３０に容易に固定される。なお、このとき、上述したように、挿入ガイド２４がカバー装飾取付部３０の裏側に位置するように、モール２０が取付レール３２に嵌合される必要がある。
【００２９】
その後、下側部分（第２の係止部３６）にモール２０が取り付けられたキャビネットカバー１４において、モール２０の挿入ガイド２４を、キャビネット１２のガイド収納溝４０に挿入する。つづいて、キャビネットカバー１４をキャビネット１２に固定する。
【００３０】
以上のような構造とすることにより、上述のようにモール２０の取付けが容易なだけでなく、解体時においても、キャビネット１２とキャビネットカバー１４を分離した後、挿入ガイド２４を摘んでモール２０を容易にはぎ取ることができる。特に、モール２０の取付にビス固定をしないため、取付及び取り外しが極めて容易となる。近年、部品のリサイクルが促進されており、リサイクルを考慮した構造は、非常に重要な課題となっており、本発明は、効果的にその課題を解決する。なお、挿入ガイド２４は、断続的に設けられている場合、モール２０をレール３２から分離することがより容易となる。
【００３１】
また、挿入ガイド２４は、薄型画像表示装置１０が組み立てられた際には、図４及び図５に示したように、ガイド収納溝４０に収納されていることから、例えば子供の悪戯により取り外されてしまうといった問題は生じない。
【００３２】
以上、本発明を実施の形態をもとに説明した。この実施の形態は例示であり、それらの各構成要素の組み合わせにいろいろな変形例が可能なこと、またそうした変形例も本発明の範囲にあることは当業者に理解されるところである。
【産業上の利用可能性】
【００３３】
本発明は、薄型画像表示装置において、キャビネットとそのカバーと、該カバー端部に取り付けられるモールを含んでなる装飾品固定構造及びその装飾品固定構造を備える薄型画像表示装置に広く利用できる。
【図面の簡単な説明】
【００３４】
【図１】本実施形態に係る装飾品固定構造を備える薄型画像表示装置の概略外観図である。
【図２】本実施の形態に係る装飾品固定構造に関して、キャビネットにモールが嵌合された状態を示した図である。
【図３】図２に示したキャビネットとモールに関して、それらを分離させた状態を示した図である。
【図４】図１に示した薄型画像表示装置における、Ａ−Ａ断面図である。
【図５】図１に示した薄型画像表示装置における、Ｂ−Ｂ断面図である。
【符号の説明】
【００３５】
１０    薄型画像表示装置
１２    キャビネット
１４    キャビネットカバー
１８    表示パネル
２０    モール
２２，２２ａ，２２ｂ    端部
２４    挿入ガイド
２６    開口端
３０    カバー装飾取付部
３２    取付レール
３４，３４ａ，３４ｂ    第１の係止部
３６    第２の係止部
４０    ガイド収納溝
４２    枠先端部
４４    カバー先端部
【図１】
2008072421.tif 000003
【図２】
2008072421.tif 000004
【図３】
2008072421.tif 000005
【図４】
2008072421.tif 000006
【図５】
2008072421.tif 000007